(57)【要約】      （修正有）【課題】洗浄力が高い浴室洗浄装置を提供すること。【解決手段】浴室洗浄装置は、浴室１０の外部に設けられ、高圧水を生成するポンプユニット３０と、ポンプユニット３０からの高圧水および水道配管からの水道水である低圧水が内部を流れるホース体１９と、ホース体１９と接続され、高圧水が流れる第一高圧側流路および低圧水が流れる第一低圧側流路が内部に形成され、第一高圧側流路を流れる高圧水を外部に流出させる高圧水流出口が設けられたノズル体１８と、ノズル体１８の第一低圧側流路から供給される低圧水を外部に流出させる複数の低圧水流出口が設けられたシャワーヘッド１７と、を備えたものである。【選択図】図１
2016086844.tif 000002
【特許請求の範囲】
【請求項１】
浴室の外部に設けられ、高圧水を生成するポンプユニットと、
前記浴室の内部に設けられ、前記ポンプユニットからの前記高圧水および水道配管からの水道水である低圧水が内部を流れるホース体と、
前記ホース体と接続され、前記高圧水が流れる第一高圧側流路および前記低圧水が流れる第一低圧側流路が内部に形成され、前記第一高圧側流路を流れる前記高圧水を外部に流出させる高圧水流出口が設けられたノズル体と、
前記ノズル体の前記第一低圧側流路から供給される前記低圧水を外部に流出させる複数の低圧水流出口が設けられたシャワーヘッドと、を備えた
ことを特徴とする浴室洗浄装置。
【請求項２】
前記ノズル体は、
前記第一高圧側流路を開閉する流路開閉手段と、
前記流路開閉手段を開閉する操作部と、を備えた
ことを特徴とする請求項１に記載の浴室洗浄装置。
【請求項３】
前記ノズル体は、
前記第一高圧側流路および前記第一低圧側流路が内部に形成され、使用者が使用時に掴む第一把持部と、
前記第一高圧側流路が内部に形成され、先端部に前記高圧水流出口が設けられた第一ヘッド部と、を備え、
前記高圧水流出口の開口面積は前記低圧水流出口の開口面積の総和よりも小さく、
前記操作部は、
前記第一把持部と前記第一ヘッド部との間の位置に設けられており、
押下される力に応じて前記流路開閉手段を開閉する
ことを特徴とする請求項２に記載の浴室洗浄装置。
【請求項４】
前記シャワーヘッドは、
前記第一低圧側流路と接続され前記低圧水が流れる流路が内部に形成され、使用者が使用時に掴む第二把持部と、
複数の前記低圧水流出口が設けられた第二ヘッド部と、を備え、
前記第二把持部の内径は、前記第二ヘッド部の外径および前記操作部の外径より大きい
ことを特徴とする請求項２または３に記載の浴室洗浄装置。
【請求項５】
前記高圧水流出口は、前記シャワーヘッドを前記ノズル体に取り付けた際に前記シャワーヘッドによって覆われる
ことを特徴とする請求項１〜４のいずれか一項に記載の浴室洗浄装置。
【請求項６】
前記操作部は、前記シャワーヘッドを前記ノズル体に取り付けた際に前記シャワーヘッドによって覆われる
ことを特徴とする請求項２〜５のいずれか一項に記載の浴室洗浄装置。
【請求項７】
前記ホース体の内部には、前記高圧水が流れる第二高圧側流路および前記低圧水が流れる第二低圧側流路が別々に形成され、
前記第二高圧側流路は前記第一高圧側流路と接続され、前記第二低圧側流路は前記第一低圧側流路と接続される
ことを特徴とする請求項１〜６のいずれか一項に記載の浴室洗浄装置。
【請求項８】
前記ホース体は二重管構造を有し、
内側の管は前記第二高圧側流路であり、外側の管は前記第二低圧側流路である
ことを特徴とする請求項７に記載の浴室洗浄装置。
【請求項９】
前記ポンプユニットを制御する制御部を備えた
ことを特徴とする請求項１〜８のいずれか一項に記載の浴室洗浄装置。
【請求項１０】
前記浴室の出入り口に設けられた開閉可能な出入口ドアの開閉状態を検知するドア開閉検知手段を備え、
前記制御部は、前記ドア開閉検知手段により前記出入口ドアの開状態を検知したら前記ポンプユニットを停止状態にする
ことを特徴とする請求項９に記載の浴室洗浄装置。
【請求項１１】
前記低圧水の流れを検知する低圧水検知手段を備え、
前記制御部は、前記低圧水の流れを検知したら前記ポンプユニットを停止状態にする
ことを特徴とする請求項９または１０に記載の浴室洗浄装置。
【請求項１２】
前記低圧水の流れを止める低圧水流停止手段を設け、
前記制御部は、前記ポンプユニット動作中は前記低圧水の流れが止まるように前記低圧水流停止手段を動作させる
ことを特徴とする請求項９〜１１のいずれか一項に記載の浴室洗浄装置。
【請求項１３】
前記ノズル体は、
前記第一把持部と前記操作部との間の位置が曲がったくの字形状を有している
ことを特徴とする請求項３に従属する請求項４〜１２のいずれか一項に記載の浴室洗浄装置。
【請求項１４】
前記ポンプユニットを操作するポンプユニット操作部が前記浴室の外部に設けられている
ことを特徴とする請求項１〜１３のいずれか一項に記載の浴室洗浄装置。
【請求項１５】
前記ポンプユニットに、電解水を生成する電解水生成手段またはオゾン水を生成するオゾン水生成手段を備えた
ことを特徴とする請求項１〜１４のいずれか一項に記載の浴室洗浄装置。
【請求項１６】
前記ホース体、前記水道配管、および前記ポンプユニットと接続され、前記水道配管からの前記低圧水および前記ポンプユニットからの前記高圧水を前記ホース体に供給する混合水栓を備え、
前記ポンプユニットは、前記浴室の内側の側面壁に設けられた前記混合水栓に対して、前記浴室の前記側面壁を挟んで反対側に配置される
ことを特徴とする請求項１〜１５のいずれか一項に記載の浴室洗浄装置。
【発明の詳細な説明】
【技術分野】
【０００１】
本発明は、浴室内の浴槽、洗い場などを洗浄する浴室洗浄装置に関するものである。
【背景技術】
【０００２】
従来、浴室内の浴槽、洗い場などを洗浄する浴室洗浄装置が提案されていたが、洗浄専用の機器を浴室内に別途設置する必要があった。洗浄専用の機器を浴室内に別途設置すると、浴室内のスペースをとり、また、洗浄専用の機器を支持するために側壁面に強固な構造にしなければならず、コスト高になるという課題があった。
そこで、洗浄専用の機器を浴室内に別途設置しなくても浴室を洗浄することができる浴室洗浄装置が提案されている（たとえば、特許文献１参照）。
【０００３】
特許文献１に係る浴室洗浄装置は、体を洗うために浴室の内部に設けられているシャワーに、所定の水圧を有する少なくとも水を供給し、前記シャワーから少なくとも前記水を噴射することにより前記浴室を洗浄するようにするものである。
【先行技術文献】
【特許文献】
【０００４】
【特許文献１】特開２００２−２９５８９４号公報（たとえば、［０００７］、図１参照）
【発明の概要】
【発明が解決しようとする課題】
【０００５】
特許文献１に係る浴室洗浄装置は、浴室洗浄時に入浴時と同じシャワーヘッドを使用し、そこから流出した水で浴室洗浄を行うものであるが、このシャワーヘッドは浴室洗浄に適した構造になっていない。そのため、浴室洗浄時に十分な水圧が得られず、高い洗浄力が得られないという課題があった。その結果、浴室洗浄時に使用する水の量が多くなってしまっていた。また、洗浄剤や高圧の水が流れる配管も兼用しており、入浴時の人が体を洗っている時などに、誤操作または誤動作により、洗浄剤または高圧散水を人が浴びてしまう恐れがあった。
【０００６】
本発明は、以上のような課題を考慮してなされたもので、洗浄力が高い浴室洗浄装置を提供することを目的としている。
【課題を解決するための手段】
【０００７】
本発明に係る浴室洗浄装置は浴室の外部に設けられ、高圧水を生成するポンプユニットと、前記浴室の内部に設けられ、前記ポンプユニットからの前記高圧水および水道配管からの水道水である低圧水が内部を流れるホース体と、前記ホース体と接続され、前記高圧水が流れる第一高圧側流路および前記低圧水が流れる第一低圧側流路が内部に形成され、前記第一高圧側流路を流れる前記高圧水を外部に流出させる高圧水流出口が設けられたノズル体と、前記ノズル体の前記第一低圧側流路から供給される前記低圧水を外部に流出させる複数の低圧水流出口が設けられたシャワーヘッドと、を備えたものである。
【発明の効果】
【０００８】
本発明に係る浴室洗浄装置によれば、入浴時に使用する低圧水が流出するシャワーヘッドの他に高圧水が流出するノズル体を備え、浴室洗浄時にそのノズル体から流出する高圧水を使用することで、高い洗浄力を得ることができる。
【図面の簡単な説明】
【０００９】
【図１】本発明の実施の形態に係る浴室洗浄装置の斜視図である。
【図２】本実施の形態に係る浴室洗浄装置のノズル体にシャワーヘッドが取り付けられた際の斜視図である。
【図３】本実施の形態に係る浴室洗浄装置のノズル体およびシャワーヘッドの分解斜視図である。
【図４】本実施の形態に係る浴室洗浄装置のノズル体の斜視図である。
【図５】本実施の形態に係る浴室洗浄装置のノズル体にシャワーヘッドが取り付けられた際の側面から見た断面模式図である。
【図６】本実施の形態に係る浴室洗浄装置のノズル体を側面から見た断面模式図である。
【図７】本実施の形態に係る浴室洗浄装置のシャワーヘッドを側面から見た断面模式図である。
【図８】本実施の形態に係る浴室洗浄装置のノズル体とは別形態のノズル体の把持部の横断面図である。
【図９】本実施の形態に係る浴室洗浄装置の混合水栓の拡大図である。
【図１０】本実施の形態に係る浴室洗浄装置のノズル体の要部を正面から見た断面模式図である。
【図１１】本実施の形態に係る浴室洗浄装置のノズル体（操作部非押下時）の要部を側面から見た断面模式図である。
【図１２】本実施の形態に係る浴室洗浄装置のノズル体（操作部押下時）の要部を側面から見た断面模式図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態．
図１は、本発明の実施の形態に係る浴室洗浄装置の斜視図である。
図１に示す浴室１０は、一戸建て住宅、集合住宅、ホテルなどに設置される。なお、浴室１０は、浴室ユニットの場合が多いが、ユニット化されていなくてもよい。
浴室１０の内部には、浴槽１１、洗い場１２、シャワー１３などが設けられている。
シャワー１３は、高圧水が流出するノズル体１８に取り付けられ低圧水が流出するシャワーヘッド１７と、低圧水および高圧水が内部を流れるホース体１９と、水とお湯とを混合して出す混合水栓２０とで構成されており、そのシャワーヘッド１７は、第一側壁面１６ａに固定された支持部材１４に着脱可能に支持される。
【００１２】
なお、混合水栓２０の内部には低圧水の流路および高圧水の流路が別々に形成されている。また、混合水栓２０の流出側はホース体１９と接続されており、混合水栓２０の流入側は、浴室１０の外部の水道配管（図示せず）と接続されている。このとき、混合水栓２０の低圧水の流路および高圧水の流路の流入側は、それぞれ別の水道配管に接続されている。
【００１３】
そして、入浴時に使用される低圧水は、混合水栓２０（の低圧水の流路）からホース体１９を経由してシャワーヘッド１７に供給され、そこからシャワーヘッド１７の外部に流出する。ここで、低圧水とは水道配管を流れる水道水と同じものを称しており、高圧水とは低圧水（水道水）よりも圧力の高い水のことを称している。
【００１４】
なお、混合水栓２０は、たとえばレバーが設けられており、そのレバーを操作することにより、水道配管からの水道水と給湯機（図示せず）からのお湯との混合比を変えることによる温度調整と、シャワーヘッド１７に供給され、そこから流出する低圧水の流量調整とを行うことができる。また、レバーを操作することにより、シャワー（低圧水をシャワーヘッド１７から流出させる）とカラン（低圧水を蛇口（図示せず）から流出させる）とを切り替えることができる。
【００１５】
また、浴室１０の外部には高圧水を生成するポンプユニット３０が設けられている。ポンプユニット３０は、浴室１０の内部のホース体１９と接続された混合水栓２０と浴室１０の外部の（混合水栓２０の低圧水の流路と接続されているものとは別の）水道配管との間に配置されており、水道配管からの水道水を所定の水圧まで高め、高圧水を生成する。このポンプユニット３０により生成された高圧水は、ポンプユニット３０と接続された混合水栓２０（の高圧水の流路）およびホース体１９を経由してシャワーヘッド１７が取り外されたノズル体１８に供給され、そこからノズル体１８の外部に流出する。この高圧水は、浴室１０洗浄時に使用される。また、浴室洗浄装置を制御する制御部６０が設けられている。
【００１６】
また、ポンプユニット３０の内部に電解水生成手段３１またはオゾン水生成手段３２を設けてもよい。電解水生成手段３１またはオゾン水生成手段３２を設けることで、高圧水を（通常の水道水に比べ）洗浄力の高い電解水またはオゾン水にすることができるため、浴室１０洗浄時の洗浄効果を高めることができる。
【００１７】
浴室１０の第一側壁面１６ａに対向する第二側壁面１６ｂに形成された出入り口には開閉可能な出入口ドア１５が設けられており、その出入口ドア１５を開けて、浴室１０に出入りできるようになっている。浴室１０の出入口ドア１５、またはその近傍には、出入口ドア１５の開閉状態を検知する赤外線センサなどで構成されたドア開閉検知手段５０が設けられている。
また、浴室１０の外部の第二側壁面１６ｂには、ポンプユニット３０の操作を行うポンプユニット操作部４０が設けられている。
【００１８】
ポンプユニット３０はポンプユニット操作部４０を操作しないと動作しないため、ポンプユニット操作部４０を浴室１０の外部に設けることにより、入浴時の人が体を洗っている時などに、ポンプユニット操作部４０を操作できないようになっている。そのため、入浴時の誤操作または誤動作によりポンプユニット３０で高圧水が生成され、その高圧水がシャワー１３から流出し、人が浴びてしまうのを回避することができる。
【００１９】
図２は、本実施の形態に係る浴室洗浄装置のノズル体１８にシャワーヘッド１７が取り付けられた際の斜視図、図３は、本実施の形態に係る浴室洗浄装置のノズル体１８およびシャワーヘッド１７の分解斜視図、図４は、本実施の形態に係る浴室洗浄装置のノズル体１８の斜視図である。
図２および図３に示すように本実施の形態に係るノズル体１８には、その一部を覆うようにシャワーヘッド１７が着脱可能に取り付けられている。
本実施の形態に係る浴室洗浄装置は、ノズル体１８から流出する高圧水を使用して浴室１０の内部の浴槽１１、洗い場１２、側壁面１６、天井（図示せず）などを洗浄するものである。そして、図１に示すように浴室洗浄装置は、シャワーヘッド１７と、ノズル体１８と、ホース体１９と、ポンプユニット３０と、ポンプユニット操作部４０と、制御部６０と、を少なくとも備えている。
【００２０】
ノズル体１８にはシャワーヘッド１７が着脱可能に取り付けられ、図２に示すように入浴時はノズル体１８にシャワーヘッド１７が取り付けられた状態で使用され、浴室１０洗浄時には図４に示すようにノズル体１８からシャワーヘッド１７が取り外された状態で使用される。
【００２１】
図２および図３に示すようにシャワーヘッド１７は、使用者が入浴時に掴み、内部を低圧水が流れる中空円筒形状の把持部１７ａと、把持部１７ａの上側に設けられ、正面視が略円形状のヘッド部１７ｂと、ヘッド部１７ｂの一方の面に複数設けられ、低圧水が流出する穴である低圧水流出口１７ｃと、把持部１７ａの下側の内周に螺旋状の溝が設けられた締結部１７ｄと、で構成されている。
なお、把持部１７ａ、ヘッド部１７ｂ、および締結部１７ｄの形状は、上記に限定されるものではない。
【００２２】
また、把持部１７ａは本発明の「第二把持部」に相当し、ヘッド部１７ｂは本発明の「第二ヘッド部」に相当する。
【００２３】
図３および図４に示すようにノズル体１８は、使用者が浴室１０洗浄時に掴み、内部を高圧水および低圧水が流れる円筒状の把持部１８ａと、把持部１８ａの上側に螺旋状の突起が設けられた締結部１８ｂと、高圧水が流出する高圧水流出口１８ｃと、先端部に高圧水流出口１８ｃが設けられ、内部を高圧水が流れる中空円筒形状のヘッド部１８ｄと、高圧水流出口１８ｃから流出する高圧水の量を調整する操作部１８ｅと、操作部１８ｅの操作に応じて高圧水の流路を開閉するバルブ１８ｆと、で構成されている。なお、操作部１８ｅの操作は、操作部１８ｅを指で（図４の左から右方向に）押下することにより行う。
【００２４】
なお、把持部１８ａは本発明の「第一把持部」に相当し、ヘッド部１８ｄは本発明の「第一ヘッド部」に相当する。
【００２５】
また、入浴時および浴室１０洗浄時に使用者が使用しやすいように、つまり、使用者が把持部１８ａを掴んだ状態で操作部１８ｅを操作しやすいように、操作部１８ｅは把持部１８ａの近傍に設けられている。さらに、ノズル体１８は、把持部１８ａと操作部１８ｅとの間の締結部１８ｂ付近が、操作部１８ｅが押下される方向とは反対側に（つまり、図４の右から左方向に）に突出するように曲がったくの字形状となっている。
【００２６】
また、ノズル体１８の高圧水流出口１８ｃの開口面積は、シャワーヘッド１７の低圧水流出口１７ｃの開口面積の総和に比べ小さくなっているため、ノズル体１８はシャワーヘッド１７に比べ、流出時に速い流速を得ることができる。さらに、ノズル体１８は、一つの流出口（高圧水流出口１８ｃ）から水が集中して流出する構造となっているため、複数の流出口（低圧水流出口１７ｃ）から水が分散して流出する構造のシャワーヘッド１７に比べ、少ない水量で高い水圧を得ることができる。そのため、ノズル体１８ではシャワーヘッド１７に比べ少ない水量で高い洗浄力を得ることができる。
【００２７】
図５は、本実施の形態に係る浴室洗浄装置のノズル体１８にシャワーヘッド１７が取り付けられた際の側面から見た断面模式図、図６は、本実施の形態に係る浴室洗浄装置のノズル体１８を側面から見た断面模式図、図７は、本実施の形態に係る浴室洗浄装置のシャワーヘッド１７を側面から見た断面模式図である。
図５および図６に示すように、ノズル体１８の把持部１８ａの内部は二重管構造を有し、内側の管は高圧水の流路である高圧管１８ｇとなっており、高圧管１８ｇの外側の管は低圧水の流路である低圧管１８ｈとなっている。そして、高圧管１８ｇはバルブ１８ｆを介してノズル体１８のヘッド部１８ｄの内部と連通しており、また、図５に示すように低圧管１８ｈはシャワーヘッド１７が取り付けられた状態で、その把持部１７ａの内部と連通している。
なお、把持部１８ａ、ヘッド部１８ｄ、および締結部１８ｂの形状は、上記に限定されるものではない。
【００２８】
また、高圧管１８ｇは本発明の「第一高圧側流路」に相当し、低圧管１８ｈは本発明の「第一低圧側流路」に相当する。
【００２９】
シャワーヘッド１７の把持部１７ａの内径は、ノズル体１８のヘッド部１８ｄの外径および操作部１８ｅ（およびバルブ１８ｆ）の外径より大きくなっている。そして、ノズル体１８の高圧水流出口１８ｃ側から、シャワーヘッド１７の把持部１７ａでノズル体１８のヘッド部１８ｄおよび操作部１８ｅを覆うようにして取り付け、図７に示す締結部１７ｄと図６に示す締結部１８ｂとの位置を合わせ、シャワーヘッド１７を一方向に回すことによりノズル体１８に固定する。
なお、シャワーヘッド１７をノズル体１８から取り外すときは、シャワーヘッド１７を上記とは反対方向に回す。
【００３０】
本実施の形態のように、ノズル体１８の把持部１８ａの内部を高圧管１８ｇと低圧管１８ｈとからなる二重管構造とし、内側を高圧水が流れる高圧管１８ｇ、高圧管１８ｇの外側を低圧水が流れる低圧管１８ｈとし、シャワーヘッド１７でノズル体１８を覆うことで、故障などにより入浴時に高圧水が流出してしまった場合でも、シャワーヘッド１７を介して流出するため、高圧水が人に当たる際の水圧を弱めることができる。また、このとき操作部１８ｅもシャワーヘッド１７で覆われており、ノズル体１８にシャワーヘッド１７が取りつけられた状態では操作部１８ｅを操作できないようになっているため、誤動作および誤操作を軽減することができる。
【００３１】
図８は、本実施の形態に係る浴室洗浄装置のノズル体１８とは別形態のノズル体７０の把持部の横断面図である。なお、図８の（ａ）〜（ｃ）は、それぞれ別形態のノズル体７０の把持部の横断面図を示している。
本実施の形態では、ノズル体１８の把持部１８ａの内部を、高圧管１８ｇと低圧管１８ｈとからなる二重管構造としたが、それに限定されるものではない。たとえば、図８（ａ）に示すようにノズル体７０の内部を中央で仕切り、一方を高圧水が流れ、他方を低圧水が流れる構造としてもよいし、図８（ｂ）に示すようにノズル体７０の内部に高圧管７１ａと低圧管７１ｂとを並べて配置する構造としてもよいし、図８（ｃ）に示すように一本の管の中央部を潰して仕切り、一方を高圧水が流れ、他方を低圧水が流れる構造としてもよい。
なお、本実施の形態に係る二重管構造ではなく、上記の構造とした方が製造コストを抑えることができる。
【００３２】
図５に示すようにホース体１９の内部は二重管構造を有し、内側の管は高圧水の流路である高圧管１９ａとなっており、高圧管１９ａの外側の管は低圧水の流路である低圧管１９ｂとなっている。
【００３３】
なお、高圧管１９ａは本発明の「第二高圧側流路」に相当し、低圧管１９ｂは本発明の「第二低圧側流路」に相当する。
【００３４】
また、高圧管１９ａは図１に示すポンプユニット３０と接続されており、ポンプユニット３０から供給される高圧水が流れる。このとき、図１に示すようにポンプユニット３０を、側壁面１６を挟んで混合水栓２０の反対側に配置することにより、ポンプユニット３０からホース体１９の高圧管１９ａまでの距離（高圧水の流路）を短くできるため、圧力損失を低減することができる。また、低圧管１９ｂは図１に示す混合水栓２０と接続されており、混合水栓２０から供給される低圧水が流れる。
【００３５】
ノズル体１８とホース体１９との接続には、図５に示す結束バンドなどで構成された接続手段２１が用いられており、ノズル体１８の高圧管１８ｇとホース体１９の高圧管１９ａ、およびノズル体１８の低圧管１８ｈとホース体１９の低圧管１９ｂが、それぞれ接続手段２１により固定された状態で接続されている。このようにして、ノズル体１８の高圧管１８ｇとホース体１９の高圧管１９ａ、およびノズル体１８の低圧管１８ｈとホース体１９の低圧管１９ｂが、それぞれ連通した構成となっている。
【００３６】
本実施の形態のように、ホース体１９の内部を高圧管１９ａと低圧管１９ｂとからなる二重管構造とし、高圧水を混合水栓２０の高圧水の流路を介してポンプユニット３０から、低圧水を混合水栓２０の低圧水の流路を介して水道配管から、別々に供給することにより、入浴時では不要となる高圧水を生成するポンプユニット３０の動作を停止することができるため、省エネに寄与することができる。また、高圧管１９ａは低圧管１９ｂで覆われているため、故障などにより高圧管１９ａから高圧水が漏れてしまった場合でも低圧管１９ｂを介して流出するため、高圧水が人に当たる際の水圧を弱めることができる。さらに、（混合水栓２０に）高圧水の流路と低圧水の流路とを切り替える切替手段が不要となるとともに、流路の切り替えが不要なため誤操作および誤動作を軽減することができる。
【００３７】
本実施の形態では、ホース体１９の内部を、高圧管１９ａと低圧管１９ｂとからなる二重管構造としたが、それに限定されるものではない。たとえば、図８（ａ）と同様に、ホース体の内部を中央で仕切り、一方を高圧水が流れ、他方を低圧水が流れる構造としてもよいし、図８（ｂ）と同様に、ホース体の内部に高圧管と低圧管とを並べて配置する構造としてもよいし、図８（ｃ）と同様に、一本の管の中央部を潰して仕切り、一方を高圧水が流れ、他方を低圧水が流れる構造としてもよい。
なお、本実施の形態に係る二重管構造ではなく、上記の構造とした方が製造コストを抑えることができる。
【００３８】
また、ホース体１９の低圧管１９ｂには、図５に示す静電電極などで構成された水流検知手段２２が設けられている。この水流検知手段２２により、低圧管１９ｂを低圧水が流れているかどうか検知することができる。
なお、ホース体１９の低圧管１９ｂではなく、ノズル体１８の低圧管１８ｈに水流検知手段２２を設け、低圧管１８ｈを低圧水が流れているかどうか検知するようにしてもよい。
【００３９】
図９は、本実施の形態に係る浴室洗浄装置の混合水栓２０の拡大図である。
また、水流検知手段２２の代わりに、図９に示すようにスイッチなどで構成された開閉検知手段２３を混合水栓２０に設けてもよい。そして、その開閉検知手段２３で混合水栓２０の開閉を検知することにより、混合水栓２０が開なら低圧管１９ｂを低圧水が流れており、閉なら低圧管１９ｂを低圧水が流れていないと判断することができる。そのため、開閉検知手段２３でも低圧管１９ｂを低圧水が流れているかどうか検知することができる。
【００４０】
なお、水流検知手段２２および開閉検知手段２３は、本発明の「低圧水検知手段」に相当する。
【００４１】
また、図５および図６に示すように、高圧水の流路上である、ノズル体１８の高圧管１８ｇとヘッド部１８ｄとの間には、内部に流路１８ｍが形成されたバルブ１８ｆが設けられている。また、操作部１８ｅの内側にはバネなどで構成された付勢手段１８ｋが設けられている。
【００４２】
なお、バルブ１８ｆは本発明の「流路開閉手段」に相当する。
【００４３】
図１０は、本実施の形態に係る浴室洗浄装置のノズル体１８の要部を正面から見た断面模式図、図１１は、本実施の形態に係る浴室洗浄装置のノズル体１８（操作部１８ｅ非押下時）の要部を側面から見た断面模式図、図１２は、本実施の形態に係る浴室洗浄装置のノズル体１８（操作部１８ｅ押下時）の要部を側面から見た断面模式図である。
【００４４】
図１０〜図１２に示すようにバルブ１８ｆの（側面視して）中央の回転軸と操作部１８ｅの端部とは、ビスなどで固定され接続されている。そして、図１１に示す状態から操作部１８ｅが押下されると、図１２に示すように操作部１８ｅが傾き、それと連動して操作部１８ｅの端部と接続されたバルブ１８ｆは、その回転軸を中心に一方向に回転（図１２では反時計回り）し、開状態になるようになっている。
【００４５】
また、図１２に示す状態から操作部１８ｅが非押下されると、付勢手段１８ｋの反発力により操作部１８ｅが押し戻されて図１１に示すように元の状態に戻り、それと連動して操作部１８ｅの端部と接続されたバルブ１８ｆは、その回転軸を中心に押下時とは反対方向に回転（図１１では時計回り）し、元の閉状態に戻るようになっている。
【００４６】
図１１に示すように操作部１８ｅの非押下時は、バルブ１８ｆは閉状態であり、ヘッド部１８ｄの内部の流路と高圧管１８ｇの流路とがバルブ１８ｆによって塞がれるため、高圧水の流路は閉じられた状態となる。そして、バルブ１８ｆが閉状態では、ポンプユニット３０で生成された高圧水が、図５に示すホース体１９の高圧管１９ａを経由してノズル体１８の高圧管１８ｇに供給されても、図１１に示すようにその先のヘッド部１８ｄの内部の流路がバルブ１８ｆによって塞がれているため、高圧水流出口１８ｃから高圧水が流れないようになっている。
【００４７】
一方、図１２に示すように操作部１８ｅの押下時は、バルブ１８ｆが回転し開状態となり、バルブ１８ｆ内の流路１８ｍを介してヘッド部１８ｄの内部の流路と高圧管１８ｇの流路とが連通するため、高圧水の流路は開けられた状態となる。そして、バルブ１８ｆが開状態では、ポンプユニット３０で生成された高圧水が、図５に示すホース体１９の高圧管１９ａを経由してノズル体１８の高圧管１８ｇに供給されると、図１２に示すようにバルブ１８ｆ内の流路１８ｍを介してその先のヘッド部１８ｄの内部の流路に流れるため（図１２の矢印参照）、高圧水流出口１８ｃから高圧水が流れるようになっている。
【００４８】
以上のように、操作部１８ｅを操作（押下・非押下）してバルブ１８ｆを開閉することにより、ノズル体１８の高圧水流出口１８ｃから高圧水を流出させる、またはその高圧水の流出を止めることができるようになっている。また、操作部１８ｅから手を離すと、自動でバルブ１８ｆが閉状態となり高圧水の流出が止まるようになっているため、浴室１０洗浄時における誤操作および誤動作を軽減することができる。
【００４９】
また、操作部１８ｅは把持部１８ａの近傍に設けられており、かつ、ノズル体１８は、把持部１８ａと操作部１８ｅとの間の締結部１８ｂ付近が、操作部１８ｅが押下される方向とは反対側に突出するように曲がったくの字形状となっている。そのため、把持部１８ａを掴んだ状態で操作部１８ｅを操作しやすいようになっている。
【００５０】
また、操作部１８ｅを押下する力に応じてバルブ１８ｆの回転量が変わり、その回転量に応じてヘッド部１８ｄの内部の流路と高圧管１８ｇの流路とが連通する面積（高圧水の流路面積）も変わる。つまり、操作部１８ｅを押下する力に応じてバルブ１８ｆの開度が変わり、その開度に応じてノズル体１８の高圧水流出口１８ｃから流出する高圧水の量も変わる。そのため、操作部１８ｅを押下する力で、ノズル体１８の高圧水流出口１８ｃから流出する高圧水の量を調整することができる。
【００５１】
なお、ノズル体１８の高圧水流出口１８ｃから流出する高圧水の量を調整する手段としてバルブ１８ｆに限定されず、たとえばシャッターなどを用いてもよい。
【００５２】
次に、本実施の形態に係る浴室洗浄装置の使用方法について説明する。
（入浴時）
入浴時では、ノズル体１８にシャワーヘッド１７が取り付けられた状態で使用する。そして、混合水栓２０を操作して温度調整と水量調整とを行うと、それに応じた温度および量の低圧水が、シャワーヘッド１７の低圧水流出口１７ｃから流出する。
【００５３】
（浴室１０洗浄時）
浴室１０洗浄時では、まずポンプユニット操作部４０を操作して、ポンプユニット３０を動作させる。なお、ポンプユニット３０の内部に電解水生成手段３１またはオゾン水生成手段３２が設けられている場合は、使用する水の種類、濃度などを設定する操作も行う。
次に、ノズル体１８にシャワーヘッド１７が取り付けられている場合は、シャワーヘッド１７を取り外す。そして、低圧水が流れていない状態（混合水栓２０の低圧水の流路を閉じた状態）でノズル体１８の操作部１８ｅを押下することにより、高圧水流出口１８ｃから高圧水が流出する。
【００５４】
このとき、水流検知手段２２により、低圧管１９ｂを低圧水が流れているかどうか検知しており、低圧管１９ｂを低圧水が流れていると検知した場合は、制御部６０は、ポンプユニット３０を停止状態にして動作しないようにする。
【００５５】
これは、低圧管１９ｂを低圧水が流れていると検知した場合は入浴時であると判断し、入浴時の人が体を洗っている時などに、誤操作または誤動作によりポンプユニット３０で高圧水が生成され、その高圧水がシャワー１３から流出し、人が浴びてしまうのを回避するためである。
【００５６】
そのため、低圧水が流れている状態でノズル体１８の操作部１８ｅを押下しても、制御部６０は、ポンプユニット３０を停止状態にして動作しないようにしているため、高圧水流出口１８ｃから高圧水は流出しない。
【００５７】
また、ドア開閉検知手段５０が出入口ドア１５の開閉を検知しており、出入口ドア１５が開いていると検知した場合は、制御部６０は、ポンプユニット３０を停止状態にして動作しないようにする。
これは、出入口ドア１５が開いた状態で高圧水がノズル体１８から流出し、高圧水が浴室１０の外部に流出するのを抑制するためである。
【００５８】
なお、図９に示すように混合水栓２０に電磁弁などで構成された低圧水流路開閉手段２４を設け、高圧水流出口１８ｃから高圧水が流出している間、つまりポンプユニット３０が動作中は、制御部６０が低圧水流路開閉手段２４を動作させて混合水栓２０の低圧水の流路を閉じた状態にし、混合水栓２０を操作しても低圧水が流出しない構成としてもよい。そうすることで、浴室１０洗浄時における誤操作および誤動作を軽減することができる。
【００５９】
なお、低圧水流路開閉手段２４は、本発明の「低圧水流停止手段」に相当する。
【００６０】
以上のように、本実施の形態に係る浴室洗浄装置によれば、洗浄専用の機器を浴室１０の内部に別途設置する必要がないため、浴室１０の内部のスペースをとらず、コストを抑えることができる。
また、低圧水が流出するシャワーヘッド１７の他に、シャワーヘッド１７に比べ少ない水量で高い水圧を得ることができる構造のノズル体１８を備え、その高圧水流出口１８ｃから高圧水が流出するようになっているため、浴室１０洗浄時に高圧水流出口１８ｃから流出した高圧水を使用することで、高い洗浄力を得ることができる。
【００６１】
また、ポンプユニット３０の操作を行うポンプユニット操作部４０は浴室１０の外部に設けられており、入浴時の人が体を洗っている時などに、ポンプユニット操作部４０を操作できないようになっているため、入浴時の誤操作または誤動作によりポンプユニット３０で高圧水が生成され、その高圧水がシャワー１３から流出し、人が浴びてしまうのを回避することができる。
【００６２】
また、ノズル体１８の把持部１８ａの内部を高圧管１８ｇと低圧管１８ｈとからなる二重管構造とし、内側を高圧水が流れる高圧管１８ｇ、高圧管１８ｇの外側を低圧水が流れる低圧管１８ｈとし、シャワーヘッド１７でノズル体１８を覆うことで、故障などにより入浴時に高圧水が流出してしまった場合でも、シャワーヘッド１７を介して流出するため、高圧水が人に当たる際の水圧を弱めることができる。このとき操作部１８ｅも覆われているため、誤動作および誤操作を軽減することができる。
【００６３】
また、ポンプユニット３０は側壁面１６を挟んで混合水栓２０の反対側に配置されており、ポンプユニット３０からホース体１９の高圧管１９ａまでの距離（高圧水の流路）を短くできるため、圧力損失を低減することができる。
【００６４】
また、ホース体１９の内部を高圧管１９ａと低圧管１９ｂとからなる二重管構造とし、高圧水を混合水栓２０の高圧水の流路を介してポンプユニット３０から、低圧水を混合水栓２０の低圧水の流路を介して水道配管から、別々に供給することにより、入浴時では不要となる高圧水を生成するポンプユニット３０の動作を停止することができるため、省エネに寄与することができる。また、高圧管１９ａは低圧管１９ｂで覆われているため、故障などにより高圧管１９ａから高圧水が漏れてしまった場合でも低圧管１９ｂを介して流出するため、高圧水が人に当たる際の水圧を弱めることができる。さらに、（混合水栓２０に）高圧水の流路と低圧水の流路とを切り替える切替手段が不要となるとともに、流路の切り替えが不要なため誤操作および誤動作を軽減することができる。
【００６５】
また、操作部１８ｅを操作することにより、ノズル体１８の高圧水流出口１８ｃから高圧水を流出させる、またはその高圧水の流出を止めることができるようになっており、また、操作部１８ｅから手を離すと自動で高圧水の流出が止まるようになっているため、浴室１０洗浄時における誤操作および誤動作を軽減することができる。
【００６６】
また、水流検知手段２２により、低圧管１９ｂを低圧水が流れていると検知した場合は、ポンプユニット３０を停止状態にして動作しないようにすることで、入浴時の人が体を洗っている時などに、誤操作または誤動作によりポンプユニット３０で高圧水が生成され、その高圧水がシャワー１３から流出し、人が浴びてしまうのを回避することができる。
【００６７】
また、ドア開閉検知手段５０により、出入口ドア１５が開いていると検知した場合は、ポンプユニット３０を停止状態にして動作しないようにすることで、出入口ドア１５が開いた状態で高圧水がノズル体１８から流出し、高圧水が浴室１０の外部に流出するのを抑制することができる。
【００６８】
また、混合水栓２０に低圧水流路開閉手段２４を設け、高圧水流出口１８ｃから高圧水が流出している間、つまりポンプユニット３０が動作中は、低圧水流路開閉手段２４を動作させて低圧水の流路を閉じた状態にし、混合水栓２０を操作しても低圧水が流出しないようにすることで、浴室１０洗浄時における誤操作および誤動作を軽減することができる。
【００６９】
なお、本実施の形態では、ポンプユニット３０により生成された高圧水は混合水栓２０（の高圧水の流路）を介してホース体１９に供給する構成としたが、それに限定されるものではない。
たとえば、混合水栓の内部に高圧水の流路を形成せず、混合水栓の外部に形成された流路からポンプユニット３０により生成された高圧水をホース体１９に供給し、混合水栓（の高圧水の流路）を介さない構成としてもよい。
【００７０】
また、本実施の形態のように混合水栓２０の低圧水の流路および高圧水の流路の流入側にそれぞれ別の水道配管に接続する構成ではなく、混合水栓の流入側にポンプユニット３０を介して一つの水道配管を接続する構成とする。そして、混合水栓に高圧水の流路と低圧水の流路とを切り替える切替手段を設け、高圧水の使用時には切替手段で高圧水の流路に切り替えてホース体１９の高圧管１９ａに供給し、低圧水の使用時には切替手段で低圧水の流路に切り替えてホース体１９の低圧管１９ｂに供給するようにしてもよい。この場合、切替手段が必要となるが、混合水栓の内部に流路を二つ形成しなくて済む。
【００７１】
また、本実施の形態では、操作部１８ｅを押下する力に応じてバルブ１８ｆの回転量が変わることにより、高圧水流出口１８ｃから流出する高圧水の量を調整するアナログ式の操作部１８ｅとしたが、それに限定されず、電気的な駆動力により高圧水流出口１８ｃから流出する高圧水の量を調整するデジタル式の操作部１８ｅとしてもよい。
【符号の説明】
【００７２】
１０  浴室、１１  浴槽、１２  洗い場、１３  シャワー、１４  支持部材、１５  出入口ドア、１６  側壁面、１６ａ  第一側壁面、１６ｂ  第二側壁面、１７  シャワーヘッド、１７ａ  把持部、１７ｂ  ヘッド部、１７ｃ  低圧水流出口、１７ｄ  締結部、１８  ノズル体、１８ａ  把持部、１８ｂ  締結部、１８ｃ  高圧水流出口、１８ｄ  ヘッド部、１８ｅ  操作部、１８ｆ  バルブ、１８ｇ  高圧管、１８ｈ  低圧管、１８ｋ  付勢手段、１８ｍ  流路、１９  ホース体、１９ａ  高圧管、１９ｂ  低圧管、２０  混合水栓、２１  接続手段、２２  水流検知手段、２３  開閉検知手段、２４  低圧水流路開閉手段、３０  ポンプユニット、３１  電解水生成手段、３２  オゾン水生成手段、４０  ポンプユニット操作部、５０  ドア開閉検知手段、６０  制御部、７０  ノズル体、７１ａ  高圧管、７１ｂ  低圧管。
【図１】
2016086844.tif 000003
【図２】
2016086844.tif 000004
【図３】
2016086844.tif 000005
【図４】
2016086844.tif 000006
【図５】
2016086844.tif 000007
【図６】
2016086844.tif 000008
【図７】
2016086844.tif 000009
【図８】
2016086844.tif 000010
【図９】
2016086844.tif 000011
【図１０】
2016086844.tif 000012
【図１１】
2016086844.tif 000013
【図１２】
2016086844.tif 000014